(57)【要約】  【課題】本来の機能を損なうことなしに、執務室等で使用中の文書類を収容して棚として使用する際の強度を確保することができる文書保存箱を提供する。  【解決手段】底壁及び天壁の両側縁同士を側壁により連設し内部に少なくとも前方に開放された収納空間を備えた箱本体と、この箱本体の収納空間に配された仕切りとを備えた文書保存箱であって、前記仕切りが、前記箱本体と同一の素材により構成され、前記収納空間を左右に区画する仕切り本体と、この仕切り本体に連設され前記箱本体を補強するための補強構造体とを備えたものであり、前記補強構造体が、前記箱本体の側壁に添設され当該側壁と協働して前記箱本体の天壁に作用する上載荷重を受ける側補強板を有したものである。【選択図】図１
2015209224.tif 000002
【特許請求の範囲】
【請求項１】
底壁及び天壁の両側縁同士を側壁により連設し内部に少なくとも前方に開放された収納空間を備えた箱本体と、この箱本体の収納空間に配された仕切りとを備えた文書保存箱であって、
前記仕切りが、前記箱本体と同一の素材により構成され、前記収納空間を左右に区画する仕切り本体と、この仕切り本体に連設され前記箱本体を補強するための補強構造体とを備えたものであり、
前記補強構造体が、前記箱本体の側壁に添設され当該側壁と協働して前記箱本体の天壁に作用する上載荷重を受ける側補強板を有したものである文書保存箱。
【請求項２】
前記補強構造体が、前記仕切り本体の両側に設けられた対をなすものであり、各補強構造体が、前記箱本体の底壁、側壁及び天壁に沿う枠状をなしている請求項１記載の文書保存箱。
【請求項３】
前記箱本体が、外側板と内側板とを備えた二重壁構造をなす側壁を具備し、前記補強構造体の側補強板が前記外側板と内側板との間に収容されている請求項１または２記載の文書保存箱。
【請求項４】
前記箱本体が、前記収納空間の後側を閉塞する背壁を備えたものであり、その背壁が、前記仕切り本体の位置決めを行う仕切り受け部を備えている請求項１、２または３記載の文書保存箱。
【請求項５】
前記箱本体が、前記底壁にスリットを有するとともに、前記天壁に切起片を有したものであり、その天壁上に同一構造をなす他の文書保存箱を載置した状態で前記切起片が前記他の文書保存箱のスリットに係わり合うように構成されている請求項１、２、３または４記載の文書保存箱。
【請求項６】
前記箱本体が、前記天壁の前縁にヒンジを介して蓋を連設したものであり、この蓋を前記収納空間の前面を覆う閉塞位置と、前記天壁上に重なり合う開放位置との間で開閉動作させることができるようにした請求項１、２、３、４または５記載の文書保存箱。
【請求項７】
前記蓋が、前記天壁から切り起こされた切起片と干渉しない状態で前記開放位置まで開くことができるように構成されたものである請求項６記載の文書保存箱。
【発明の詳細な説明】
【技術分野】
【０００１】
本発明は、オフィス等において用いられ書類等を保存可能な文書保存箱に関するものである。
【背景技術】
【０００２】
オフィス等において使用頻度の高い書類は、本棚等に並べられており容易に取り出せるようにしてある。一方、使用頻度は少ないが一定期間保存しておかなければならない書類は段ボール製の文書保存箱に収容して保管していることが多い。
【０００３】
従来の文書保存箱は、基本的に、収納空間が上方に開放される状態で使用されるものであり閲覧性が悪いものとなっている（例えば、特許文献２を参照）。また、この種のものにおいて、一方の文書保存箱の上に、他方の文書保存箱を積み重ねて使用しているような場合には、相当の重量をなす当該他方の文書保存箱を一方の文書保存箱の上から移動させた後に、一方の文書保存箱の上面の蓋をあけて内容物を確認するという手間を強いられるものとなっていた。
【０００４】
このような事情から、収納空間の前面側を開放するようにして閲覧性を確保した文書保存箱が考えられている（例えば、下記特許文献１を参照）。
【０００５】
ところが、かかる文書保存箱は、一定の閲覧性はあるものの、その上に他の文章保存箱を積み重ねるということが想定されているものではなかった。
【０００６】
この欠点を解決するべく、文書保存箱とは別部材で当該文書保存箱の壁面を補強して上下方向の強度を担保するものも考えられるが、組立作業が複雑になったり、廃棄時の分別作業も骨の折れるものになりかねない。
【０００７】
ところで、収納空間内に平面視Ｈ形状をなす仕切りを配するようにしたものも考えられている（例えば、下記特許文献２を参照）。この仕切りは、収納空間が上方に開放される状態で使用されることを想定しており、前述したように、複数の文書保存箱を上下方向に積み重ねて収納空間が前方に開放される状態、換言すれば、仕切りを立てて使うことは想定されていない。そのため、文書保存箱を立てて使用したときには、仕切りが上載荷重を適切に受け止めることができないという不具合がある。
【先行技術文献】
【特許文献】
【０００８】
【特許文献１】特開２０００−１５８８６４号公報
【特許文献２】特許第４０１５８３４号公報
【発明の概要】
【発明が解決しようとする課題】
【０００９】
本発明は、本来の機能を損なうことなしに、執務室等で使用中の文書類を収容して棚として使用する際の強度を確保することができる文書保存箱を提供することを目的とする。
【課題を解決するための手段】
【００１０】
本発明は、以上のような課題を解決するために、次のような構成を採用したものである。すなわち、本発明に係る文書保存箱は、底壁及び天壁の両側縁同士を側壁により連設し内部に少なくとも前方に開放された収納空間を備えた箱本体と、この箱本体の収納空間に配された仕切りとを備えたものであって、前記仕切りが、前記箱本体と同一の素材により構成され、前記収納空間を左右に区画する仕切り本体と、この仕切り本体に連設され前記箱本体を補強するための補強構造体とを備えたものであり、前記補強構造体が、前記箱本体の側壁に添設され当該側壁と協働して前記箱本体の天壁に作用する上載荷重を受ける側補強板を有したものであることを特徴とする。
【００１１】
ここで、「同一の素材」とは、箱本体と仕切りとを分別して廃棄する必要のないものであればどのようなものであってもよく、全体が単一の素材で構成されているもののほか、大部分が単一の素材で構成されているものも含む概念である。
【００１２】
前記補強構造体が、前記仕切り本体の両側に設けられた対をなすものであり、各補強構造体が、前記箱本体の底壁、側壁及び天壁に沿う枠状をなしているものが好適な一態様として挙げられる。
【００１３】
前記箱本体が、外側板と内側板とを備えた二重壁構造をなす側壁を具備し、前記補強構造体の側補強板が前記外側板と内側板との間に収容されているものが好ましい。
【００１４】
前記箱本体が、前記収納空間の後側を閉塞する背壁を備えたものであり、その背壁が、前記仕切り本体の位置決めを行う仕切り受け部を備えているものが具体的な一態様として挙げられる。
【００１５】
前記箱本体の好適な一態様としては、前記底壁にスリットを有するとともに、前記天壁に切起片を有したものであり、その天壁上に同一構造をなす他の文書保存箱を載置した状態で前記切起片が前記他の文書保存箱のスリットに係わり合うように構成されているものが挙げられる。
【００１６】
前記箱本体が、前記天壁の前縁にヒンジを介して蓋を連設したものであり、この蓋を前記収納空間の前面を覆う閉塞位置と、前記天壁上に重なり合う開放位置との間で開閉動作させることができるようにしたものが好ましい。
【００１７】
前記蓋の好適な一態様としては、前記天壁から切り起こされた切起片と干渉しない状態で前記開放位置まで開くことができるように構成されたものが挙げられる。
【発明の効果】
【００１８】
本発明は、以上のような構成であるから、本来の機能を損なうことなしに、執務室等で使用中の文書類を収容して棚として使用する際の強度を確保することができる文書保存箱を提供することができる。
【図面の簡単な説明】
【００１９】
【図１】本発明の一実施形態にかかる文書保存箱の使用状態を示す概略図。
【図２】同実施形態の文書保存箱における蓋を開放位置に移動させた状態を示す斜視図。
【図３】同実施形態の文書保存箱における蓋を閉塞位置に移動させた状態を示す斜視図。
【図４】同実施形態にかかる文書保存箱の正面図。
【図５】図４のＸ−Ｘ線断面図。
【図６】図４のＹ−Ｙ線断面図。
【図７】同実施形態にかかる文書保存箱の仕切りを示す展開図。
【図８】同実施形態にかかる文書保存箱の仕切りの組み立て説明図。
【図９】同実施形態にかかる文書保存箱の仕切りの組み立て説明図。
【図１０】同実施形態にかかる文書保存箱の仕切りの組み立て説明図。
【図１１】同実施形態にかかる文書保存箱の仕切りの組み立て説明図。
【図１２】同実施形態にかかる文書保存箱の仕切りの組み立て説明図。
【図１３】同実施形態にかかる文書保存箱の仕切りの組み立て説明図。
【図１４】同実施形態にかかる文書保存箱の仕切りの組み立て説明図。
【図１５】同実施形態にかかる文書保存箱の箱本体を示す展開図。
【図１６】同実施形態にかかる文書保存箱の箱本体の組み立て説明図。
【図１７】同実施形態にかかる文書保存箱の箱本体の組み立て説明図。
【図１８】同実施形態にかかる文書保存箱の箱本体の組み立て説明図。
【図１９】同実施形態にかかる文書保存箱の箱本体の組み立て説明図。
【図２０】同実施形態にかかる文書保存箱の箱本体の組み立て説明図。
【図２１】同実施形態にかかる文書保存箱の組み立て説明図。
【図２２】同実施形態にかかる文書保存箱の組み立て説明図。
【図２３】同実施形態にかかる文書保存箱の組み立て説明図。
【図２４】同実施形態にかかる文書保存箱の組み立て説明図。
【図２５】同実施形態にかかる文書保存箱の組み立て説明図。
【図２６】同実施形態にかかる文書保存箱のスタッキング方法の説明図。
【図２７】同実施形態にかかる文書保存箱のスタッキング方法の説明図。
【図２８】同実施形態にかかる文書保存箱のスタッキング方法の説明図。
【図２９】同実施形態にかかる文書保存箱のスタッキング方法の説明図。
【図３０】同実施形態にかかる文書保存箱のスタッキング方法の説明図。
【発明を実施するための形態】
【００２０】
以下、本発明の一実施形態について、図１〜図３０を用いて説明する。
【００２１】
本実施形態にかかる文書保存箱Ｂは、図１〜図６及び図２５〜図３０に示すように、底壁１及び天壁２の両側縁同士を側壁３、４により連設し内部に少なくとも前方に開放された収納空間Ｓを備えた箱本体Ｂ１と、この箱本体Ｂ１の収納空間Ｓに配された仕切りＢ２とを備えたものである。
【００２２】
前記箱本体Ｂ１は、図１〜図６及び図２１〜図３０に示すように、外底板１１と内底板１２とを備えた二重壁構造をなす底壁１と、１枚の天板２１により構成された天壁２と、外側板３１、４１と内側板３２、４２とを備えた二重壁構造をなす側壁３、４と、前記底壁１に連続する下背面板５１、前記天壁２に連続する上背面板５２及び左右の側壁３、４に連続する左右の側背面板５３、５４とを相互に係わり合わせて形成された背壁５と、前記天壁２の前縁にヒンジ２３を介して連設された蓋６とを備えたものである。
【００２３】
前記底壁１は、図１、図２、図４〜図６、図１５、図１７〜図１９、図２１〜図２４、図２６、図２９及び図３０に示すように、長方形状をなす外底板１１と、この外底板１１の前縁に連続し箱本体Ｂ１の前面に表出する傾斜小口板１３と、この傾斜小口板１３の上縁から前記外底板１１と平行をなすように後方に延びる内底板１２とを備えたものである。
【００２４】
前記内底板１２の左右方向中央には、前記仕切りＢ２を位置決めするための位置決め溝１２１が形成されている。換言すれば、前記内底板１２は、右半部１２２と左半部１２３とに分断され、これら右半部１２２及び左半部１２３間に前記位置決め溝１２１が形成されている。内底板１２の後縁には、組立分解時に指を掛けるための切欠部１２４が形成されている。
【００２５】
前記外底板１１は、正面視右側の縁部に接続片１１１を有しており、その接続片１１１が右側の外側板３１の内面に接着されている。外底板１１の正面視左側の縁部は、左側の外側板４１に一体化されている。
【００２６】
また、前記底壁１は、左右両側縁部及び後縁部にそれぞれスリット１４、１５を有している。左右両側縁部のスリット１４は、外底板１１の左右両側縁及び内底板１２の左右両側縁にそれぞれ浅い切り欠き部１４１、１４２を設けることによって形成されている。後縁部のスリット１５は、外底板１１の後縁に切り欠き部１５１を設けることによって形成されている。
【００２７】
前記天壁２は、図３、図４、図６、図１５〜図２０及び図２５〜図２７に示すように、正面視右側の縁部が右側の外側板３１に一体化されているとともに、正面視左側の縁部が左側の外側板４１に一体化されている。前記天壁２は、左右両側縁部及び後縁部にそれぞれ前記スリット１４、１５に対応させた切起片２２を有している。しかして、前記箱本体Ｂ１は、その天壁２上に同一構造をなす他の文書保存箱Ｂを載置した状態で前記切起片２２が前記他の文書保存箱Ｂのスリット１４、１５に係わり合うように構成されている。なお、同一構造をなす他の文書保存箱Ｂについては、本実施形態の文書保存箱Ｂと同一の符号を付して詳細な説明を省略している。
【００２８】
前記正面視右側の側壁３は、図１、図２、図４〜図６、図１５及び図１７〜図３０に示すように、下側が外底板１１の接続片１１１に接着され上縁が前記天板２１に一体化された外側板３１と、この外側板３１の前縁に連続し箱本体Ｂ１の前面に表出する小口板３３と、この小口板３３の内側縁から前記外側板３１と平行をなすように後方に延びる内側板３２とを備えている。なお、この内側板３２には、後縁の下部から延出し必要時に手指を挿通させることが可能な孔３４１を有した延出片３４が一体に設けられている。前記延出片３４の中央部には切起片３４２が設けられており、この切起片３４２を立ち上げることにより前記孔３４１が出現するようにしてある。
【００２９】
前記正面視左側の側壁４は、図１〜図５、図１５、図１６、図２１〜図２４、図２９及び図３０に示すように、下側が外底板１１の左側縁に一体化され上縁が前記天板２１に一体化された外側板４１と、この外側板４１の前縁に連続し箱本体Ｂ１の前面に表出する小口板４３と、この小口板４３の内側縁から前記外側板４１と平行をなすように後方に延びる内側板４２とを備えている。なお、この内側板４２には、後縁の下部から延出し必要時に手指を挿通させることが可能な孔４４１を有した延出片４４が一体に設けられている。前記延出片４４の中央部には切起片４４２が設けられており、この切起片４４２を立ち上げることにより前記孔４４１が出現するようにしてある。
【００３０】
前記背壁５は、図４〜図６、図１５〜図２０、図２５、図２７及び図２８に示すように、外底板１１の後縁から一体に立ち上げた下背面板５１と、天板２１の後縁から一体に垂下させた上背面板５２と、左右の外側板３１、４１の後縁から一体に内方に延出させた左右の側背面板５３、５４と、前記下背面板５１及び左右の側背面板３１、４１の前側に配されるとともに前記上背面板５２の下に位置する前記延出片３４、４４とを備えたものであり、前記収納空間Ｓの後側を閉塞している。
【００３１】
前記下背面板５１は、長辺を外底板１１に連続させた台形状をなすもので、短辺に左右対をなす挿入片５１１を備えている。前記上背面板５２は、上辺を天板２１に連続させた長方形状をなすもので、下縁に前記下背面板５１の短辺とほぼ同一の凹陥部５２１を備えている。
【００３２】
前記各側背面板５３、５４は、収納空間Ｓの下半領域を閉塞する下半部５３１、５４１と、上背面板５２の外側に重なり合って蓋６を止めるための蓋保持ポケット５５を形成する上半部５３２、５４２とを一体に備えたものである。左右の側背面板５３、５４の下半部５３１、５４１先端間には、前記仕切りＢ２を位置決めするための溝状をなす仕切り受け部５６が形成されている。また、上背面板５２の凹陥部５２１と前記側背面板５３、５４の下半部５３１、５４１の上縁との間には、前記下半部５３１、５４１の外側に重なり合う前記下背面板５１の挿入片５１１を挿入するためのスリット５８が形成されている。側背面板５３、５４の下半部５３１、５４１における下縁側には、前記スリット５８に挿入される他の文書保存箱Ｂの切起片２２との干渉を避けるための切り欠き部５３３、５４３が設けられている。さらに、前記挿入片５１１の中央には、仕切りＢ２の左右方向の位置決めを行う切り欠き状の仕切り受け部５７を備えている。前記延出片３４、４４は、前記内側板３２、４２に一体的に設けられたものであり、寸法の設定により、その上縁３４ａ、４４ａが、上背面板５２の左右の下端縁５２ａに密着し得るとともに下縁３４ｂ、４４ｂが内底板１２に密着し得るように構成されている。
【００３３】
なお、前記天壁２の前縁は、前記側壁３、４及び底壁１の前縁よりも若干前方に位置させてあり、この前縁にヒンジ２３を介して蓋６を一体的に設けている。
【００３４】
前記蓋６は、図１〜図４、図６、図１５〜図２８及び図３０に示すように、前記収納空間Ｓの前面を覆う閉塞位置（Ｃ）と、前記天壁２上に重なり合う開放位置（Ｏ）との間で開閉動作させることができるようにしたもので、前記天壁２から切り起こされた切起片２２と干渉しない状態で前記開放位置（Ｏ）まで開くことができるように構成されている。
【００３５】
具体的には、この蓋６は、開放位置（Ｏ）で天壁２の上面に重なり合う四角形状の蓋本体６１と、この蓋本体６１の回動端縁に連続して設けられ閉塞位置（Ｃ）に前記蓋本体６１と協働して収納空間Ｓの前面を閉塞する調整板６２と、この調整板６２の回動端縁における中央部分に連続して設けられ収納空間Ｓに挿入されて前記仕切りＢ２に係合する差込片６３と、前記調整板６２の回動端縁における両側部分に連続して設けられた保形板６４とを備えている。
【００３６】
前記保形板６４は、閉塞位置（Ｃ）においては、図３に示すように、調整板６２及び蓋本体６１の内部に添設するように折り返されて使用される。一方、開放位置（Ｏ）においては、図６、図２５及び図２８に示すように、保形板６４が調整板６２と面一になるように展開された状態で前記ポケット５５に挿入され、蓋６を開放位置（Ｏ）に保持するようになっている。蓋本体６１と調整板６２との境界部分には、後縁部に設けられた切起片２２を挿通させるためのスリット６５が形成されている。保形板６４は、先端縁における中央部分に切起片６４１を備えており、閉塞位置（Ｃ）においてその切起片６４１を前記スリット６５に挿入することにより当該保形板６４を調整板６２及び蓋本体６１の内部に添接保持しておくことができる。スリット６５は、左右方向中間部に幅狭のスリット領域を形成するための突出部６５１とこの突出部６５１の両側に幅広のスリット領域を形成するための凹陥部６５２とを備えている。そして、前記切起片６４１の基端部に設けられた基端スリット６４２を前記突出部６５１に係わり合わせるとともに前記基端スリット６４２の左右に設けられ前記切起片６４１の先端側と前記保形板６４の基端側とをつなぐ連通部６４３を前記凹陥部６５２に嵌め合わせることができるようになっている。なお、蓋本体６１と調整板６２との境界部分に設けられたスリット６５と前記切起片６４１の基端部に設けられた基端スリット６４２については、前述した係わり合いを良好にするべく直線的な切断面により形成されている。すなわち、他の切断面については、手指への悪影響を避けるべく微細な波型の切断面にしてあるが、前述したスリット６５及び基端スリット６４２については、手指への悪影響が及びにくい箇所であるため直線的な切断面により形成している。このようにすることで、前記切起片６４１の基端部に設けられた基端スリット６４２を前記突出部６５１に外嵌させて係わり合わせるとともに前記基端スリット６４２の左右に設けた連通部６４３を前記凹陥部６５２に内嵌させて係わり合わせた場合に、相互のズレを抑制し得るようになっている。
【００３７】
この箱本体Ｂ１は、図１５の展開図に示すように、単一の素材、例えば段ボール製の箱本体Ｂ１用の展開シート体Ｂ３を組み立てることにより作られている。箱本体Ｂ１用の展開シート体Ｂ３は、外底板１１と、この外底板１１の第１辺に内折りけい線Ｌ１を介して連続させた一方の外側板３１と、この外側板３１の第１辺に内折りけい線Ｌ２を介して連続させた天板２１と、この天板２１の第１辺に内折りけい線Ｌ３を介して連続させた他方の外側板４１とを備えている。
【００３８】
前記外底板１１の第２辺には、内折りけい線Ｌ４を介して内底板１２を連続させるとともに、前記外底板１１の第２辺に対向する第３辺に内折りけい線Ｌ５を介して下背面板５１を連続させている。外底板１１の第１辺に対向する第４辺側には、内折りけい線Ｌ６を介して接続片１１１が形成されている。
【００３９】
前記一方の外側板３１の第２辺には、平行な２本の内折りけい線Ｌ７、Ｌ８を介して内側板３２を連続させるとともに、前記一方の外側板３１の第２辺に対向する第３辺に内折りけい線Ｌ９を介して一方の側背面板５３を連続させている。前記２本の内折りけい線Ｌ７、Ｌ８間には、箱本体Ｂ１の前面に表出する小口板３３が形成されている。内側板３２の先端側には、外折りけい線Ｌ３３を介して延出片３４を連続させている。
【００４０】
前記天板２１の第２辺には、ヒンジ２３として機能する両折り可能なけい線Ｌ１０を介して蓋本体６１を連続させるとともに、前記天板２１の第２辺に対向する第３辺に内折りけい線Ｌ１３を介して上背面板５２が形成されている。
【００４１】
前記他方の外側板４１の第２辺には、平行な２本の内折りけい線Ｌ１４、Ｌ１５を介して内側板４２を連続させるとともに、前記他方の外側板４１の第２辺に対向する第３辺に内折りけい線Ｌ１６を介して他方の側背面板５４を連続させている。前記２本の内折りけい線Ｌ１４、Ｌ１５間には、箱本体Ｂ１の前面に表出する小口板４３が形成されている。内側板４２の先端側には、外折りけい線Ｌ３４を介して延出片４４を連続させている。
【００４２】
なお、内折りけい線Ｌ４、Ｌ７、Ｌ１４は、同一直線上に位置させてあり、両折り可能なけい線Ｌ１０は、前記内折りけい線Ｌ４、Ｌ７、Ｌ１４よりも蓋本体６１側に偏位させてある。また、蓋本体６１の先端側には、外折りけい線Ｌ１１を介して調整板６２を連続させるとともに、その調整板６２の先端側に内折りけい線Ｌ１２を介して保形板６４を連続させている。前記差込片６３及び切起片６４１は、保形板６４から切り起こすことができるようになっている。
【００４３】
前記仕切りＢ２は、図１、図２、図４、図５、図１３及び図１４に示すように、単一素材により作られた前記箱本体Ｂ１と同一の素材により構成され、前記収納空間Ｓを左右に区画する仕切り本体７と、この仕切り本体７に連設され前記箱本体Ｂ１を補強するための補強構造体８とを備えたものである。
【００４４】
前記仕切り本体７は、図１、図２、図４、図５、図７〜図１４、図２１〜図２４、図２６、図２９及び図３０に示すように、左右の仕切り板７１、７３と、これら仕切り板７１、７３の前縁同士を連続させる小口板７２とを備えたものである。仕切り板７１、７３の後縁における下部には、前記他の文書保存箱Ｂの切起片２２との干渉を避けるための切り欠き部７１１、７３１が形成されている。
【００４５】
前記補強構造体８は、図４〜図１４、図２１〜図２４、図２９及び図３０に示すように、前記仕切り本体７の両側に設けられた対をなすものであり、各補強構造体８が、前記箱本体Ｂ１の底壁１、側壁３、４及び天壁２に沿う枠状をなしている。具体的には、各補強構造体８は、前記箱本体Ｂ１の底壁１に添設される底補強板８１、８４と、前記箱本体Ｂ１の側壁３、４に添設され当該側壁３、４と協働して前記箱本体Ｂ１の天壁２に作用する上載荷重を受ける第一の側補強板８２、８５と、前記箱本体Ｂ１の天壁２に添設される天補強板８３、８６と、前記箱本体Ｂ１の側壁３、４に添設され当該側壁３、４と協働して前記箱本体Ｂ１の天壁２に作用する上載荷重を受ける第二の側補強板８７、８８とを有したものである。
【００４６】
前記正面視右側の底補強板８１は、図６〜図１４及び図２１〜図２４に示すように、正面視右側の縁部に右側の第二の側補強板８７を延出させており、その第二の側補強板８７が右側の第一の側補強板８２の外面に添接されている。右側の第一の側補強板８２と前記第二の側補強板８７との連結は、第二の側補強板８７から切り起こした切起片８７１を第一の側補強板８２に設けた開口８２１に圧入し係わり合わせることにより行われている。この第二の側補強板８７と底補強板８１の側縁部及び後縁部には、他の文書保存箱Ｂの切起片２２との干渉を避けるための切り欠き部８７２、８１１、８１２が設けられている。底補強板８１の正面視左側の縁部は、右側の仕切り板７１に一体化されている。
【００４７】
前記正面視右側の第一の側補強板８２は、図５、図７〜図１４及び図２１に示すように、外面が第二の側補強板８７に添設されるとともに、上縁が前記天補強板８３に一体化されている。この第一の側補強板８２の下縁部には、他の文書保存箱Ｂの切起片２２との干渉を避けるための切り欠き部８２２が前記切り欠き部８１１に対応させて設けられている。この第一の側補強板８２の下端は、前記切り欠き部８２２を除き底補強板８１の上面に隙間を形成することなく全面的に密着させてある。換言すれば、この側補強板８２の下端は、箱本体Ｂ１の外底板１１の上面に前記底補強板８１を介して全面的に密着させてある。また、天補強板８３に一体化されたこの第一の側補強板８２の上端及び第二の側補強板８７の上端は、箱本体Ｂ１の天板２１に隙間を形成することなく全面的に密着させてある。このようにして、箱本体Ｂ１の外底板１１と天板２１との間に密に介設された第一、第二の側補強板８２、８７は、前記箱本体Ｂ１の前記外側板３１と内側板３２との間に収容されている。
【００４８】
前記正面視右側の天補強板８３は、図４、図６〜図１４、図２１及び図２９に示すように、正面視左側の縁部が右側の仕切り板７１に一体化されているとともに、正面視右側の縁部が第一の側補強板８２に一体化されており、前記箱本体Ｂ１の天板２１の下面に密着した状態で配されている。
【００４９】
前記正面視左側の底補強板８４は、図７〜図１４及び図２１〜図２４に示すように、正面視左側の縁部に左側の第二の側補強板８８を延出させており、その第二の側補強板８８が左側の第一の側補強板８５の外面に添接されている。左側の第一の側補強板８５と前記第二の側補強板８８との連結は、第二の側補強板８８から切り起こした切起片８８１を第一の側補強板８５に設けた開口８５１に圧入し係わり合わせることにより行われている。この第二の側補強板８８と底補強板８４の側縁部及び後縁部には、他の文書保存箱Ｂの切起片２２との干渉を避けるための切り欠き部８８２、８４１、８４２が設けられている。底補強板８４の正面視右側の縁部は、左側の仕切り板７３に一体化されている。
【００５０】
前記正面視左側の第一の側補強板８５は、図５、図７〜図１４、図２１及び図２２に示すように、外面が第二の側補強板８８に添設されるとともに、上縁が前記天補強板８６に一体化されている。この第一の側補強板８５の下縁部には、他の文書保存箱Ｂの切起片２２との干渉を避けるための切り欠き部８５２が前記切り欠き部８４１に対応させて設けられている。この第一の側補強板８５の下端は、前記切り欠き部８５２を除き底補強板８４の上面に隙間を形成することなく全面的に密着させてある。換言すれば、この側補強板８５の下端は、箱本体Ｂ１の外底板１１の上面に前記底補強板８４を介して全面的に密着させてある。また、天補強板８６に一体化されたこの第一の側補強板８５の上端及び第二の側補強板８８の上端は、箱本体Ｂ１の天板２１に隙間を形成することなく全面的に密着させてある。このようにして、箱本体Ｂ１の外底板１１と天板２１との間に密に介設された第一、第二の側補強板８５、８８は、前記箱本体Ｂ１の前記外側板４１と内側板４２との間に収容されている。
【００５１】
前記正面視左側の天補強板８６は、図７〜図９、図１３、図１４及び図２１に示すように、正面視右側の縁部が左側の仕切り板７３に一体化されているとともに、正面視左側の縁部が第一の側補強板８５に一体化されており、前記箱本体Ｂ１の天板２１の下面に密着した状態で配されている。
【００５２】
この仕切りＢ２は、図７の展開図に示すように、単一の素材、例えば段ボール製の仕切りＢ２用の展開シート体Ｂ４を組み立てることにより作られている。仕切りＢ２用の展開シート体Ｂ４は、一方の仕切り板７１と、この一方の仕切り板７１の第１辺に平行な２本の内折りけい線Ｌ２１、Ｌ２２を介して連続させた他方の仕切り板７３とを備えている。前記２本のけい線Ｌ２１、Ｌ２２間には、仕切りＢ２の全面に表出する小口板７２が形成されている。
【００５３】
前記一方の仕切り板７１の第２辺には、内折りけい線Ｌ２３を介して底補強板８１を連続させるとともに、前記一方の仕切り板７１の第２辺に対向する第３辺に内折りけい線Ｌ２４を介して天補強板８３を連続させている。
【００５４】
前記他方の仕切り板７３の第２辺には、内折りけい線Ｌ２５を介して底補強板８４を連続させるとともに、前記他方の仕切り板７３の第２辺に対向する第３辺に内折りけい線Ｌ２６を介して天補強板８６を連続させている。
【００５５】
前記底補強板８１、８４の先端側には、それぞれ内折りけい線Ｌ２７、Ｌ２８を介して第二の側補強板８７、８８を連続させている。前記切起片８７１、８８１は、第二の側補強板８７、８８から切り起こすことができるようになっている。
【００５６】
前記天補強板８３、８６の先端側には、それぞれ内折りけい線Ｌ２９、Ｌ３０を介して第一の側補強板８２、８５を連続させている。
【００５７】
なお、内折りけい線Ｌ２３とＬ２５、Ｌ２４とＬ２６、Ｌ２７とＬ２８、Ｌ２９とＬ３０はそれぞれ同一直線上に位置させてある。
【００５８】
次いで、この文書保存箱Ｂの組立手順を図７〜図３０を参照して説明する。
【００５９】
まず、仕切りＢ２の組立は、図７に示す展開シート体Ｂ４を、図８に示すように、左右の第一の側補強板８２、８５が左右の仕切り板７１、７３に重なるようにして、内折りけい線Ｌ２４、Ｌ２６、Ｌ２９、Ｌ３０とに順次折りぐせを付ける。しかる後、図９に示すように内折りけい線Ｌ２３、Ｌ２５を折り曲げて左右の底補強板８１、８４を左右の仕切り板７１、７３に対して起立させ、その起立した底補強板８１、８４から延びる第二の側補強板８７、８８と第一の側補強板８２、８５とを接続して、左右の補強構造体８を作り上げる。第二の側補強板８７、８８と第一の側補強板８２、８５との接続は、図１０及び図１１に示すように折り曲げた第一の側補強板８２、８５の外側に第二の側補強板８７、８８を重ね、図１２に示すように第二の側補強板８７、８８の切起片８７１、８８１を第一の側補強板８２、８５の開口８２１、８５１に係わり合わせることにより行う。この状態から図１３に示すように２本の内折りけい線Ｌ２１、Ｌ２２を折り曲げて、左右の仕切り板７１、７３と小口板７２とからなる仕切り本体７を作る。この状態で、図１４に示すように、仕切り本体７の左右に対をなす補強構造体８が位置する仕切りＢ２が完成する。
【００６０】
この完成した仕切りＢ２を箱本体Ｂ１の組立途上において箱本体Ｂ１内に挿入する。すなわち、箱本体Ｂ１は、図１５に示す展開シート体Ｂ３を、図１６及び図１７に示すように、内折りけい線Ｌ１、Ｌ２、Ｌ３、Ｌ６をそれぞれ折り曲げて外底板１１、一方の外側板３１、天板２１及び他方の外側板４１を筒状に形成し、接続片１１１を他方の外側板４１の内面に接着する。
【００６１】
この状態から背壁５を組み立てる。すなわち、まず図１８に示すように、上背面板５２を内折りけい線Ｌ１３を折り曲げることにより垂下姿勢にするとともに、図１９に示すように左右の側背面板５３、５４を内折りけい線Ｌ９、Ｌ１６を介して内側に折り曲げて、上背面板５２の背面側に重ね合わせる。しかる後に、図２０に示すように下背面板５１を内折りけい線Ｌ５を介して上方に折り上げる。そして、その先端に設けられた挿入片５１１を、前記上背面板５２と左右の側背面板５３、５４とによって形成されたスリット５８に挿入して背壁５の主要部分を完成させる。
【００６２】
この状態で、背壁５の内面には、仕切り受け部５６、５７が形成される。すなわち、左右の側背面板５３、５４の先端間に溝状の仕切り受け部５６が形成されるとともに、挿入片５１１の中央に形成された切り欠き状の仕切り受け部５７が収納空間Ｓ内に臨むことになる。
【００６３】
このようにして組み立てられた箱本体Ｂ１の内部に、図２１に示すように前記仕切りＢ２を挿入する。最終位置まで挿入された仕切り本体７の後端部は、前記両仕切り受け部５６、５７に係合し、左右方向に位置決めされた状態となる。
【００６４】
その後、図２２及び図２３に示すように左右の内側板３２、４２を２本の内折りけい線Ｌ７、Ｌ８、Ｌ１４、Ｌ１５を介して内側に折り返し、左右の側壁３、４を完成させる。この段階で、仕切りＢ２の補強構造体８の左右の第一、第二の側補強板８２、８５、８７、８８が、左右の側壁３、４内に組み込まれることになる。すなわち、第一、第二の側補強板８２、８５、８７、８８は、外側板３１、４１と内側板３２、４２との間に介在することになり、４重壁構造の側壁３、４が作られる。なお、左右の内側板３２、４２の前後方向中間部には、外折りけい線Ｌ１７、Ｌ１８が形成されており、且つ、左右の内側板３２、４２と左右の延出片３４、４４との間には、外折りけい線Ｌ３３、Ｌ３４が形成されており、図２２及び図２３に示すようにこの外折りけい線Ｌ１７、Ｌ１８、Ｌ３３、Ｌ３４を介してそれぞれ２つ折りにしながら組み込んでいく。このとき、左右の延出片３４、４４は、左右の側背面板５３、５４の下半部５３１、５４１の前面に添接し、背壁５を構成することになる。
【００６５】
次いで、図２４に示すように、左右の内底板１２を内折りけい線Ｌ４を介して内側に折り返し、底壁１を完成させる。なお、左右の内底板１２の前後方向中間部には、外折りけい線Ｌ１９、Ｌ２０が形成されており、この外折りけい線Ｌ１９、Ｌ２０を介して２つ折りにしながら組み込んでいく。この段階で、仕切りＢ２の補強構造体８の底補強板８１、８４が底壁１内に組み込まれ、隠されることになる。
【００６６】
なお、左右の内底板１２を内側に折り返す作業と左右の内側板３２、４２を内側に折り返す作業の順番は逆転してもよい。
【００６７】
このようにして組み立てられた文書保存箱Ｂは、蓋６を開放位置（Ｏ）に保持した状態で棚として使われる場合と、蓋６を閉塞位置（Ｃ）に保持して保存用の箱として使われる場合とがある。
【００６８】
まず、蓋６を開放位置（Ｏ）に保持した状態で使用する方法を説明する。
【００６９】
この場合には、図２５に示すように、蓋６の蓋本体６１をヒンジ２３を介して箱本体Ｂ１の天板２１上に重なる位置まで回動させる。その際、蓋本体６１に対して調整板６２と保形板６４とを外折りけい線Ｌ１１を介して蓋本体６１に対して直交する位置まで折り曲げておき、その調整板６２と保形板６４との両側部を上背面板５２と左右の側背面板５３、５４間に形成されているポケット５５に挿入する。このようにして図２に示すように、収納空間Ｓが前方に開放された文書保存箱Ｂを単体として使用することができ、また、図１に示すように、かかる文書保存箱Ｂを複数個積み上げて棚的に使用することもできる。
【００７０】
複数個積み上げる場合には、蓋６を開放位置（Ｏ）に持ってくる前に、図２６に示すように、天板２１の切起片２２を切り起こしておく。そして蓋６を閉塞位置（Ｃ）にまで回動させる際に、図２７及び図２８に示すように、後端縁側の切起片２２を蓋本体６１の後縁に設けられたスリット６５に挿入して上方に突出させるとともに、左右の切起片２２を蓋本体６１の両側縁の外側に位置させて上方に突出させる。
【００７１】
この状態で、同一構造をなす他の文書保存箱Ｂを天板２１及び蓋本体６１上に積み上げる。その際に、図２９及び図３０に示すように、前記各切起片２２を他の文書保存箱Ｂの底壁１に設けられたスリット１４、１５にそれぞれ挿入する。それによって、当該文書保存箱Ｂと他の文書保存箱Ｂとの位置ずれが防止されることとなる。以上のようにして複数の文書保存箱Ｂを位置ずれを招くことなくファイル等を挿脱可能に収容することができる棚として用いることができる。
【００７２】
一方、保存用の箱として使用する場合には、図３に示すように、蓋６を閉塞位置（Ｃ）に持ってきて、蓋本体６１と調整板６２とによって収納空間Ｓを閉塞する。この場合には、内折りけい線Ｌ１２を介して保形板６４を調整板６２及び蓋本体６１の内面側に添設するように折り返して使用する。
【００７３】
詳述すれば、保形板６４の切起片６４１を内折りけい線Ｌ３１を介して切り起こしておき、保形板６４を調整板６２及び蓋本体６１の内面側に折り返す。その際に、その切起片６４１を蓋本体６１と調整板６２との境界に設けられたスリット６５に内側から貫通させ、突出部６５１に基端スリット６４２を外嵌めするとともに凹陥部６５２に連通部６４３を内嵌めすることにより、この保形板６４を折り返し位置に保持する。この結果、前記蓋本体６１と調整板６２とは、前記保形板６４の働きによりほぼ面一に保持されることとなる。また、前記切起片６４１は、蓋本体６１の前面側に突出することになるので、この切起片６４１を蓋６を開閉させるための取手として使用することも可能になる。なお、差込片６３は前記保形板６４から切り起こされた状態で、蓋６を閉塞位置（Ｃ）に保持するために使用される。すなわち、差込片６３の切り欠き部６３１を仕切り本体７に密に係合することにより、蓋６が閉塞位置（Ｃ）に保持されることになる。
【００７４】
以上に述べたように、本実施形態にかかる文書保存箱Ｂは、底壁１及び天壁２の両側縁同士を側壁３、４により連設し内部に少なくとも前方に開放された収納空間Ｓを備えた箱本体Ｂ１と、この箱本体Ｂ１の収納空間Ｓに配された仕切りＢ２とを備えたものであって、前記仕切りＢ２が、前記箱本体Ｂ１と同一の素材により構成され、前記収納空間Ｓを左右に区画する仕切り本体７と、この仕切り本体７に連設され前記箱本体Ｂ１を補強するための補強構造体８とを備えたものであり、前記補強構造体８が、前記箱本体Ｂ１の側壁３、４に添設され当該側壁３、４と協働して前記箱本体Ｂ１の天壁２に作用する上載荷重を受ける第一、第二の側補強板８２、８５、８７、８８を有したものである。
【００７５】
このような構成のものであるため、本来の機能を損なうことなしに、執務室等で使用中の文書類を収容して棚として使用する際の強度を確保することができる。換言すれば、保存期間に入った書類やファイル等を収納空間Ｓに収容した状態で蓋６をし、倉庫やキャビネットなどで保管する本来の使い方だけでなく、棚代わりに、更に複数の当該保存箱Ｂを積み重ねて載置すれば、収納空間Ｓを開放した状態で執務室等においてファイル等を収容するための棚として使用するアクティブな状態での使用も可能となる。また、このほかの当該文書保存箱Ｂの利用シーンとしては、例えば、プロジェクトチームや工事現場など、恒常的なオフィスではなく、期間限定のオフィス・作業場などの場所に好適であって、例示したプロジェクトが終了した後、現場が完工した後、その場所を引き上げる際に、当該保存箱Ｂを箱ごと処分することも可能である。
【００７６】
すなわち、従来の文書保存箱、例えば、収納空間を上方にのみ開放させるいわゆるフタ式の文書保存箱や引き出し式の文書保存箱では、収納空間の内外で書類やファイル等を出し入れするのに手間がかかり、一旦収納空間内に収容した後は活用頻度が低くなっていた。しかしながら、本実施形態のものであれば、デスク等の周りの空きスペースに当該文書保存箱Ｂを簡単に載置して活用頻度を高めることができる。なお、このように収納空間Ｓの前面を開放した状態で使用する際には、文書保存箱Ｂが蓋６を備えていないものであってもよいのはもちろんである。
【００７７】
そして、この文書保存箱Ｂは、単一の素材、すなわち、段ボールのみにより作られているので、丈夫であり軽量で、製造コストが安く分解・組み立ても容易であるとともに、廃棄する際にも分別作業が不要となる。
【００７８】
しかも、以上のような構成をなしているため、段ボールのみで構成されているにもかかわらず強度が高く、棚として使用する場合にも好都合なものとなる。詳述すれば、この文書保存箱Ｂは、箱本体Ｂ１の底壁１と天壁２との間に仕切りＢ２の仕切り本体７が介在して補強効果を発揮している。その上、この仕切りＢ２の両側に補強構造体８を備えているため、天板２１に大きな荷重が作用しても側壁３、４や仕切りＢ２が座屈して壊れる可能性を低下させることができる。具体的には、前記補強構造体８が、前記箱本体Ｂ１の側壁３、４に添設され当該側壁３、４と協働して前記箱本体Ｂ１の天壁２に作用する上載荷重を受ける第一、第二の側補強板８２、８５、８７、８８を有したものであるため、文書保存箱Ｂを多数積み上げて使用しても型くずれをしたり壊れたりする不具合を招きにくい。
【００７９】
特に、この実施形態では、各板の当接部、特に、内側板３２、４２と底壁１及び天壁２との間、仕切り本体７と底壁１及び天壁２との間、側補強板８２、８５と底壁１及び天壁２との間に隙間を設けず、各部材を密着させて組み立てるようにしている。そのため、上載荷重を種々の箇所に分散させて、高い強度を発揮させることが可能となる。詳述すれば、従来のものは、組み立てやすさを追求するべく各板同士が噛み合う部分にクリアランスが存在し、収納空間を開放した状態で上下方向に積み重ねると下側の文書保存箱がつぶれやすく、仕切りがあったとしても当該仕切りの座屈を招きやすかった。しかしながら本実施形態のものでは、上下方向で全体的に密着する部分が存在するため、ある程度の上載荷重に耐えることができる。
【００８０】
さらに、このような上載荷重が集中しない箇所に切欠部１２４を備えているので、組立解体時に指を掛けて作業を効率的に行うことができる。
【００８１】
前記補強構造体８が、前記仕切り本体７の両側に設けられた対をなすものであり、各補強構造体８が、前記箱本体Ｂ１の底壁１、側壁３、４及び天壁２に沿う枠状をなしているので、箱全体の強度を高めることができる。
【００８２】
前記箱本体Ｂ１が、外側板３１、４１と内側板３２、４２とを備えた二重壁構造をなす側壁３、４を具備し、前記補強構造体８の第一、第二の側補強板８２、８５、８７、８８が前記外側板３１、４１と内側板３２、４２との間に収容されている。そのため、箱本体Ｂ１の左右の側壁３、４が外側板３１、４１と内側板３２、４２と第一、第二の側補強板８２、８５、８７、８８との４重壁構造となり、従来のものに比べて座屈に対する強度を高めることができる。
【００８３】
前記箱本体Ｂ１が、前記収納空間Ｓの後側を閉塞する背壁５を備えたものであり、その背壁５が、前記仕切り本体７の位置決めを行う仕切り受け部５６、５７を備えているので、仕切り本体７の左右の位置ずれを抑制できる。
【００８４】
前記箱本体Ｂ１が、前記底壁１にスリット１４、１５を有するとともに、前記天壁２に切起片２２を有したものであり、その天壁２上に同一構造をなす他の文書保存箱Ｂを載置した状態で前記切起片２２が前記他の文書保存箱Ｂのスリット１４、１５に係わり合うように構成されている。そのため、複数の文書保存箱Ｂをずれなく多段に積み重ねることができ、しかも、積み重ね後の文書保存箱Ｂ全体を安定させることができる。そして、複数の文書保存箱Ｂを積み重ねた状態のままであっても、書類等の保管内容物の取り出し、収納作業が簡単にかつ能率的に行え、書類等の保管内容物の検索も行いやすくなるという効果も得られる。
【００８５】
前記箱本体Ｂ１が、前記天壁２の前縁にヒンジ２３を介して蓋６を連設したものであり、この蓋６を前記収納空間Ｓの前面を覆う閉塞位置（Ｃ）と、前記天壁２上に重なり合う開放位置（Ｏ）との間で開閉動作させることができるようにしたので、蓋６を閉じた状態のみならず、蓋６を開けて収納空間Ｓを開放させた状態でも使用することができる。
【００８６】
前記蓋６が、前記天壁２から切り起こされた切起片２２と干渉しない状態で前記開放位置（Ｏ）まで開くことができるように構成されたものであるので、蓋６を開けた状態でも複数の文書保存箱Ｂを積み重ねることができる。すなわち、本実施形態の文書保存箱Ｂは、蓋６を開放位置（Ｏ）に位置させた状態、閉塞位置（Ｃ）に位置させた状態のいずれにおいても同一構造をなす文書保存箱Ｂを上下方向にスタッキングさせることができる。
【００８７】
また、本実施形態の文書保存箱Ｂは、ヒンジ２３が箱本体Ｂ１の前縁よりも前側に位置させてあるため、開放位置（Ｏ）において綺麗に天壁２と重合させることができる。なお、本実施形態のように天壁２の前後方向幅寸法を左右の側壁３、４の前後方向幅寸法よりも大きく設定したものには限られず、天壁２の前後方向幅寸法と左右の側壁３、４の前後方向幅寸法とを同一またはほぼ同一にしたものであってもよい。もちろん、これ以外の寸法であってもよい。
【００８８】
さらに、本実施形態では、背壁５の蓋保持ポケット５５が、蓋６の先端側を差し込むきっかけ部分にテーパを備えているため、蓋６を挿入しやすくできるとともに、内側に延出させている膨らみ部分があるので蓋６が自然に外れてしまうことを抑制できる。すなわち、背壁５の側背面板５３、５４の上半部５３２、５４２が、ポケット５５の入口（上縁部分）を蓋６の挿入を阻害しない程度に膨らませてあるため、蓋６を挿入しやすくも外れにくい構造とすることができる。
【００８９】
また、本実施形態の文書保存箱Ｂは、全ての辺の長さの等しい立方体ではなく、具体的には縦３４３ｍｍ×横３２９ｍｍ×奥行き２９８ｍｍという縦長な直方体にしているため、ファイル等を収納しやすいだけでなく、箱全体の強度を高めることができる。
【００９０】
なお、本発明は以上に述べた実施形態に限られない。
【００９１】
箱本体と仕切りを構成する素材は、段ボールに限られず、厚紙や、合成樹脂製シート材や複合材その他種々のものを使用することができる。また、収納空間内に配される保管内容物も、書類や、書類等を収納したファイル、これらファイルが複数収容されているボックスファイル等種々のものを採用できる。
【００９２】
補強構造体は、本実施形態のような底補強板と側補強板と天補強板とから構成されるものの他、例えば、底補強板と側補強板のみ、天補強板と側補強板のみ、背補強板と側補強板のみから構成されるもの等であってもよい。
【００９３】
また、側補強板は、仕切り本体の左右の少なくとも一方のみに配されるものであってもよい。
【００９４】
上述した実施形態では、仕切りが収納空間を２つに仕切るように構成されていたが、この仕切りは図示例に限定されるものではなく、例えば、収納空間を３つ以上の空間に仕切るようにしてもよい。
【００９５】
その他、本発明の趣旨を損ねない範囲で種々に変更してよい。
【符号の説明】
【００９６】
Ｂ…文書保存箱
Ｂ１…箱本体
Ｂ２…仕切り
Ｓ…収納空間
１…底壁
１４、１５…スリット
２…天壁
２２…切起片
２３…ヒンジ
３、４…側壁
３１、４１…外側板
３２、４２…内側板
５…背壁
５６、５７…仕切り受け部
６…蓋
（Ｃ）…閉塞位置
（Ｏ）…開放位置
７…仕切り本体
８…補強構造体
８２、８５…第一の側補強板
８７、８８…第二の側補強板
【図１】
2015209224.tif 000003
【図２】
2015209224.tif 000004
【図３】
2015209224.tif 000005
【図４】
2015209224.tif 000006
【図５】
2015209224.tif 000007
【図６】
2015209224.tif 000008
【図７】
2015209224.tif 000009
【図８】
2015209224.tif 000010
【図９】
2015209224.tif 000011
【図１０】
2015209224.tif 000012
【図１１】
2015209224.tif 000013
【図１２】
2015209224.tif 000014
【図１３】
2015209224.tif 000015
【図１４】
2015209224.tif 000016
【図１５】
2015209224.tif 000017
【図１６】
2015209224.tif 000018
【図１７】
2015209224.tif 000019
【図１８】
2015209224.tif 000020
【図１９】
2015209224.tif 000021
【図２０】
2015209224.tif 000022
【図２１】
2015209224.tif 000023
【図２２】
2015209224.tif 000024
【図２３】
2015209224.tif 000025
【図２４】
2015209224.tif 000026
【図２５】
2015209224.tif 000027
【図２６】
2015209224.tif 000028
【図２７】
2015209224.tif 000029
【図２８】
2015209224.tif 000030
【図２９】
2015209224.tif 000031
【図３０】
2015209224.tif 000032